(57)【要約】      （修正有）【課題】配送伝票から必要な伝票を分離でき、分離した伝票を配達完了通知や運賃請求伝票として用いる配送伝票を提供する。【解決手段】貼付票１０ａに対する剥離紙１３ａ、貼付票１０ｂに対する剥離紙１３ｂ、貼付票１０ｃに対する剥離紙１３ｃを剥離し、それぞれの下層に位置する粘着剤３を露出させ荷物２１に貼着する。このとき受領票１１に対する剥離紙１４と配達票１２に対する剥離紙１５は剥離せず、それぞれの下層に位置する粘着剤３を保護した状態のまま荷物に貼着する。受領票１１を分離するときは、摘み部１６ａ、摘み部１６ｂのいずれかを摘み引き上げ剥離紙１４を剥離すると、剥離紙１４に仮着された受領票１１が分離される。配達票１２を分離するときは摘み部１６ｃ、摘み部１６ｄのいずれかを摘み引き上げ剥離紙１５を剥離すると、剥離紙１５に仮着された配達票１２が分離される。【選択図】図５
2005010379.tif 000002
【特許請求の範囲】
【請求項１】
表面に剥離層が形成された剥離紙に粘着剤を介してラベル基材が仮着され、前記ラベル基材に切れ目を入れて貼付票と受領票と配達票とを設け、前記剥離紙に切れ目を入れて貼付票剥離紙と受領票剥離紙と配達票剥離紙とを設けた配送伝票ラベルであって、前記配送伝票ラベルの前記貼付票剥離紙を剥離して前記粘着剤によって荷物に貼着し、前記ラベル基材と前記剥離紙とに入れた切れ目から、前記受領票剥離紙に仮着された前記受領票と、前記配達票剥離紙に仮着された前記配達票と、を分離可能としたことを特徴とする配送伝票ラベル。
【請求項２】
前記剥離紙に入れた切れ目は、前記ラベル基材に入れた切れ目と平行、かつ、近接した位置に形成し、前記受領票剥離紙は前記受領票より大きく設け、前記配達票剥離紙は前記配達票より大きく設けたことを特徴とする請求項１記載の配送伝票ラベル。
【請求項３】
前記受領票剥離紙の両端部を前記受領票の両端部より突出させて摘み部として設け、前記配達票剥離紙の両端部を前記配達票の両端部より突出させて摘み部として設けたことを特徴とする請求項１乃至２記載の配送伝票ラベル。
【発明の詳細な説明】
【０００１】
【発明の属する技術分野】
本発明は、荷物の配送に用いる配送伝票ラベルにかかり、特に配送情報ならびに配送後の受領確認を得られるようにした配送伝票ラベルに関するものである。
【０００２】
【従来の技術】
従来、荷物へ貼着する伝票と受領票とを積層状態に貼着して、上層の伝票を剥離可能かつその接着面の接着力がなくなるように構成して、この剥離した伝票を受領票として使用する荷札ラベルが提案されている。
【０００３】
この従来の荷札ラベルは、上層から順に、第１の荷札と、二層からなる樹脂層と、第２の荷札と、粘着剤と、台紙とが積層され、第１の荷札を第２の荷札から剥離すると、第１の荷札の樹脂層の接着力がなくなるように構成されている。また、第１の荷札には必要事項が印字され、この印字された情報が第２の荷札に転写されるように構成されている。
【０００４】
そして、この荷札ラベルは、台紙を剥離して第２の荷札と第１の荷札とが積層されたまま荷物に貼着され、配送作業員が荷物を配送先に配送したときに、第１の荷札に形成された切欠部を剥離端部として、第１の荷札を第２の荷札から剥離して、この第１の荷札に荷受人から受領印やサインを得て受領票として使用されるものである。
【０００５】
【特許文献１】
特開平８−３６３５９号公報
【０００６】
【発明が解決しようとする課題】
しかしながら、このような従来の荷札ラベルにあっては、荷札を積層した構成であることから、上層に位置する荷札を剥離したときに接着面の接着力がなくなるように、樹脂層を形成しなければならないという問題があった。
【０００７】
また、上層に位置する荷札に形成された切欠部を剥離端部として、上層に位置する荷札を下層に位置する荷札から剥離しなければならず、剥離しづらいという問題があった。
【０００８】
本発明はかかる問題点をかんがみてなされたものであり、その目的とするところは、荷物から配送伝票の必要な伝票を分離することができ、分離した伝票を配達完了の証明や運賃請求の伝票として用いる配送伝票ラベルを提供することを課題とする。
【０００９】
また、荷物から配送伝票の必要な伝票を分離しやすくした配送伝票ラベルを提供することを課題とする。
【００１０】
【課題を解決するための手段】
本発明は上記課題を解決すべく、以下に掲げる構成とした。
請求項１記載の発明の要旨は、表面に剥離層が形成された剥離紙に粘着剤を介してラベル基材が仮着され、前記ラベル基材に切れ目を入れて貼付票と受領票と配達票とを設け、前記剥離紙に切れ目を入れて貼付票剥離紙と受領票剥離紙と配達票剥離紙とを設けた配送伝票ラベルであって、前記配送伝票ラベルの前記貼付票剥離紙を剥離して前記粘着剤によって荷物に貼着し、前記ラベル基材と前記剥離紙とに入れた切れ目から、前記受領票剥離紙に仮着された前記受領票と、前記配達票剥離紙に仮着された前記配達票と、を分離可能としたことを特徴とする配送伝票ラベルに存する。
また請求項２記載の発明の要旨は、前記剥離紙に入れた切れ目は、前記ラベル基材に入れた切れ目と平行、かつ、近接した位置に形成し、前記受領票剥離紙は前記受領票より大きく設け、前記配達票剥離紙は前記配達票より大きく設けたことを特徴とする請求項１記載の配送伝票ラベルに存する。
また請求項３記載の発明の要旨は、前記受領票剥離紙の両端部を前記受領票の両端部より突出させて摘み部として設け、前記配達票剥離紙の両端部を前記配達票の両端部より突出させて摘み部として設けたことを特徴とする請求項１乃至２記載の配送伝票ラベルに存する。
【００１１】
【発明の実施の形態】
以下、本発明の実施の形態を図面に基づいて詳細に説明する。
【００１２】
まず、本発明にかかる配送伝票ラベルの構成について図１乃至図３を用いて説明する。図１は、本発明にかかる配送伝票ラベルを説明するための説明図である。図２は、図１に示すＡ−Ａ方向概略断面図である。図３は、図１に示す配送伝票ラベルの裏面を説明するための説明図である。
【００１３】
配送伝票ラベル１は、表面に図示せぬ剥離層が形成された剥離紙２に、粘着剤３を介して、ラベル基材４が仮着されたもので、このラベル基材４にラベル基材切れ目５ａを入れて貼付票１０ａが設けられ、前記ラベル基材切れ目５ａとラベル基材切れ目５ｂとによって受領票１１が設けられ、前記ラベル基材切れ目５ｂとラベル基材切れ目５ｃとによって貼付票１０ｂが設けられ、前記ラベル基材切れ目５ｃとラベル基材切れ目５ｄとによって配達票１２が設けられ、さらに前記ラベル基材切れ目５ｄによって貼付票１０ｃが設けられている。
【００１４】
また、配送伝票ラベル１は、前記剥離紙２に剥離紙切れ目６ａを入れて貼付票剥離紙１３ａが設けられ、前記剥離紙切れ目６ａと剥離紙切れ目６ｂとによって受領票剥離紙１４が設けられ、前記剥離紙切れ目６ｂと剥離紙切れ目６ｃとによって貼付票剥離紙１３ｂが設けられ、前記剥離紙切れ目６ｃと剥離紙切れ目６ｄとによって配達票剥離紙１５が設けられ、さらに前記剥離紙切れ目６ｄによって貼付票剥離紙１３ｃが設けられている。これら剥離紙切れ目６ａ、６ｂ、６ｃ、６ｄは、前記ラベル基材切れ目５ａ、５ｂ、５ｃ、５ｄと平行、かつ、近接した位置に形成されている。
【００１５】
このような配送伝票ラベル１表面の受領票１１と貼付票１０ｂと配達票１２とには、たとえば、伝票番号記入欄、受付年月日記入欄、届け先記入欄、依頼主記入欄、品名記入欄、備考欄、受領印捺印欄などの固定情報があらかじめ印刷される。また、貼付票１０ａ、１０ｃには、たとえば、配送会社名、問い合わせ電話番号などの固定情報があらかじめ印刷される。
【００１６】
また、配送伝票ラベル１裏面には、図示せぬプリンタに装填した際にラベルピッチを検出する位置検出マーク７があらかじめ印刷される。プリンタでこの位置検出マーク７を検出して、前述した配送伝票ラベル１表面の受領票１１と貼付票１０ｂと配達票１２とに、たとえば、伝票番号、受付年月日、届け先、依頼主、品名、備考、前記伝票番号をバーコードで表示したバーコード表示などの可変情報が印字される。
【００１７】
前記ラベル基材４は、たとえば、紙、合成樹脂フィルム、これらの積層体や複合材を用いることができ、紙や合成樹脂フィルムを基体とした感熱紙を用いてもよい。前記粘着剤３は、たとえば、エマルジョン系、ソルベント系、ホットメルト系の粘着剤を用いることができ、素材は、アクリル系、ゴム系など任意である。粘着特性は被貼付物に種類に応じて選定するが、強粘、超強粘、冷凍糊と呼ばれる粘着力であることが望ましい。前記剥離紙２は、前記粘着剤３に接する表面にはシリコーンが塗布されており、一般的にはグラシン紙が用いられる。
【００１８】
前記ラベル基材切れ目５ａ、５ｂ、５ｃ、５ｄ、剥離紙切れ目６ａ、６ｂ、６ｃ、６ｄは、ラベル基材４および剥離紙２を前記各票（貼付票１０ａ、１０ｂ、１０ｃ、受領票１１、配達票１２）および各票剥離紙（貼付票剥離紙１３ａ、１３ｂ、１３ｃ、受領票剥離紙１４、配達票剥離紙１５）に分割するためのもので、本実施の形態では全幅にわたる切れ目としているが、部分的に切れ目を入れない非切れ目部を設けてもよい。この非切れ目部を設けることによって、前記各票および各票剥離紙が不意に脱落することを防止できる。非切れ目部を設ける場合のその数や長さは、前記各票および各票剥離紙の形状にあわせて適宜に変更することができる。
【００１９】
また、配送伝票ラベル１の受領票剥離紙１４を形成する剥離紙切れ目６ａおよび６ｂは、受領票１１を形成するラベル基材切れ目５ａおよび５ｂよりも外側に形成されるので、受領票剥離紙１４は受領票１１よりも大きく設けられる。同様に、配達票剥離紙１５を形成する剥離紙切れ目６ｃおよび６ｄは、配達票１２を形成するラベル基材切れ目５ｃおよび５ｄよりも外側に形成されるので、配達票剥離紙１５は配達票１２よりも大きく設けられる。ラベル基材切れ目５ａ、５ｂ、５ｃ、５ｄに対して、剥離紙切れ目６ａ、６ｂ、６ｃ、６ｄが外側に形成される、ずらし幅は、前記各票および各票剥離紙の形状にあわせて適宜に変更することができる。
【００２０】
次に、配送伝票ラベル１を荷物に貼着する方法について説明する。図４は、本発明にかかる配送伝票ラベルを荷物に貼着するために剥離紙を剥離した説明図である。図５は、本発明にかかる配送伝票ラベルを荷物に貼着した説明図である。図６は、図５のＢ−Ｂ方向概略断面図である。
【００２１】
本実施の形態の配送伝票ラベル１は、貼付票１０ａに対応する貼付票剥離紙１３ａと、貼付票１０ｂに対応する貼付票剥離紙１３ｂと、貼付票１０ｃに対応する貼付票剥離紙１３ｃとを剥離して、それぞれの下層に位置する粘着剤３を露出させて荷物２１に貼着する。このとき、受領票１１に対応する受領票剥離紙１４と配達票１２に対応する配達票剥離紙１５とは剥離せず、それぞれの下層に位置する粘着剤３を保護した状態のまま荷物２１に貼着する。
【００２２】
前述のとおり、受領票剥離紙１４は受領票１１より大きく形成され、配達票剥離紙１５は配達票１２よりも大きく形成されるので、受領票１１および配達票１５は、それぞれの下層に位置する粘着剤３が露出することがない。また、受領票剥離紙１４および配達票剥離紙１５は、それぞれの裏面が荷物２１の表面に密着しているだけなので容易に剥離することができる。
【００２３】
このように、荷物２１に貼着された配送伝票ラベル１は、受領票剥離紙１４の両端部を受領票１１の両端部より突出させて摘み部として設け、配達票剥離紙１５の両端部を配達票１２の両端部より突出させて摘み部として設ける。
【００２４】
つまり、受領票剥離紙１４の両端部を受領票１１の両端部より突出させて摘み部１６ａおよび摘み部１６ｂを設け、配達票剥離紙１５の両端部を配達票１２の両端部より突出させて摘み部１６ｃおよび摘み部１６ｄを設ける。これにより、受領票剥離紙１４を剥離するときは、摘み部１６ａまたは摘み部１６ｂのいずれかを摘んで引き上げれば容易に剥離することができ、同様に、配達票剥離紙１５を剥離するときは、摘み部１６ｃまたは摘み部１６ｄのいずれかを摘んで引き上げれば容易に剥離することができる。
【００２５】
このように、受領票剥離紙１４の両端部を受領票１１の両端部より突出させて摘み部１６ａおよび摘み部１６ｂを設け、配達票剥離紙１５の両端部を配達票１２の両端部より突出させて摘み部１６ｃおよび摘み部１６ｄを設けることによって、受領票剥離紙１４および配達票剥離紙１５を剥離するときの目印とすることができ、両端部のいずれの端部からでも容易に剥離することができる。
【００２６】
次に、配送伝票ラベル１の使用方法について説明する。図７は、図５に示す配送伝票ラベルの配達票を分離した説明図である。図８は、図７に示す配送伝票ラベルの受領票を分離した説明図である。
【００２７】
本実施の形態の配送伝票ラベル１は、荷物２１に貼着した後、ラベル基材切れ目５ａ、５ｂ、５ｃ、５ｄ、剥離紙切れ目６ａ、６ｂ、６ｃ、６ｄから、受領票剥離紙１４に仮着された受領票１１と、配達票剥離紙１５に仮着された配達票１２と、を分離可能にしたものである。
【００２８】
まず、配送作業員は荷物の配送にあたり、荷物２１に貼着された配送伝票ラベル１の摘み部１６ｃまたは摘み部１６ｄのいずれかを摘み引き上げて配達票剥離紙１５を剥離する。このとき、配達票剥離紙１５が剥離紙切れ目６ｃおよび剥離紙切れ目６ｄから分離して剥離されると、その上層に位置する配達票１２もラベル基材切れ目５ｃおよび５ｄから分離され、配達票剥離紙１５を荷物２１から完全に剥離することで、配達票剥離紙１５に仮着された配達票１２が荷物２１から分離される。
【００２９】
こうして、配送作業員は、荷物２１から配達票剥離紙１５に仮着された配達票１２を分離して、配達票１２の届け先などの情報から、配送の順番などを決める。
【００３０】
そして、配送作業員は届け先に荷物２１を配送したときに、配送伝票ラベル１の摘み部１６ａまたは摘み部１６ｂのいずれかを摘み引き上げて受領票剥離紙１４を剥離する。このとき、受領票剥離紙１４が剥離紙切れ目６ａおよび剥離紙切れ目６ｂから分離して剥離されると、その上層に位置する受領票１１もラベル基材切れ目５ａおよび５ｂから分離され、受領票剥離紙１４を荷物２１から完全に剥離することで、受領票剥離紙１４に仮着された受領票１１が荷物２１から分離される。配送作業員は、受領票剥離紙１４に仮着された受領票１１の受領印捺印欄に捺印を得て持ち帰り、受領票１１は配送完了の証明や運賃請求の伝票として保管される。
【００３１】
なお、本発明が上記実施の形態に限定されず、本発明の技術思想の範囲内において、実施の形態は適宜変更可能である。たとえば、本発明では、貼付票と受領票と配達票とを用いて説明したが、受領票と配達票とを組み合わせて一つとした伝票であってもよい。また、荷物に貼着される伝票を貼付票、荷物から分離される伝票を受領票および配達票として説明したが、この名称は別の名称であってもよい。
【００３２】
【発明の効果】
以上説明したとおり、本発明の配送伝票ラベルによれば、ラベル基材と剥離紙とに切れ目を入れ、貼付票剥離紙のみを剥離して粘着剤によって荷物に貼着するようにしたので、荷物から、受領票剥離紙に仮着された受領票と、配達票剥離紙に仮着された配達票と、を分離することができる。
【００３３】
また、受領票剥離紙の両端部を受領票の両端部より突出させて摘み部として設け、配達票剥離紙の両端部を配達票の両端部より突出させて摘み部として設けたので、この摘み部を摘んで、荷物から、受領票剥離紙に仮着された受領票と、配達票剥離紙に仮着された配達票と、を容易に分離することができる。
【図面の簡単な説明】
【図１】本発明にかかる配送伝票ラベルを説明するための説明図である。
【図２】図１に示すＡ−Ａ方向概略断面図である。
【図３】図１に示す配送伝票ラベルの裏面を説明するための説明図である。
【図４】本発明にかかる配送伝票ラベルを荷物に貼着するために剥離紙を剥離した説明図である。
【図５】本発明にかかる配送伝票ラベルを荷物に貼着した説明図である。
【図６】図５に示すＢ−Ｂ方向概略断面図である。
【図７】図５に示す配送伝票ラベルの配達票を分離した説明図である。
【図８】図７に示す配送伝票ラベルの受領票を分離した説明図である。
【符号の説明】
１  配送伝票ラベル
２  剥離紙
３  粘着剤
４  ラベル基材
５ａ、５ｂ、５ｃ、５ｄ  ラベル基材切れ目
６ａ、６ｂ、６ｃ、６ｄ  剥離紙切れ目
７  位置検出マーク
１０ａ、１０ｂ、１０ｃ  貼付票
１１  受領票
１２  配達票
１３ａ、１３ｂ、１３ｃ  貼付票剥離紙
１４  受領票剥離紙
１５  配達票剥離紙
１６ａ、１６ｂ、１６ｃ、１６ｄ  摘み部
２１  荷物
【図１】
2005010379.tif 000003
【図２】
2005010379.tif 000004
【図３】
2005010379.tif 000005
【図４】
2005010379.tif 000006
【図５】
2005010379.tif 000007
【図６】
2005010379.tif 000008
【図７】
2005010379.tif 000009
【図８】
2005010379.tif 000010